(57)【要約】【課題】ドレイン電圧を変化させる電力増幅器において、電力増幅器のインピーダンス変動によるエンベロープ信号の精度低下を回避することができる電力増幅装置を提供すること。【解決手段】電力増幅装置１００は、ベースバンド信号のＲＦ信号を電力増幅する電力増幅器１３０と、ベースバンド信号の振幅量であるエンベロープ信号を生成するエンベロープ生成回路１４０とを備える。また、高周波電力増幅装置１００は、生成されたエンベロープ信号の振幅値と、閾値入力端子１０２に入力される閾値とを比較する比較回路１５０と、比較回路１５０からの制御信号を受けて、電力増幅器１３０の電源電圧を変調電源１６０からレギュレータ１７０への電源電圧に切替える切替えスイッチ１８０とを備える。【選択図】図４
2012015708.tif 000002
【特許請求の範囲】
【請求項１】
ベースバンド信号のベクトル量であるＲＦ信号を電力増幅する電力増幅器と、
前記ベースバンド信号の振幅量であるエンベロープ信号を生成するエンベロープ生成部と、
生成されたエンベロープ信号を前記電力増幅器の所望の電源電圧値に変換する変調電源と、
生成されたエンベロープ信号の振幅値から前記電力増幅器のインピーダンス特性変動を検出するインピーダンス検出手段と、
所定インピーダンス変化が検出された場合、前記電力増幅器に印加する電源電圧を、前記変調電源から所定のレギュレートされた電圧に切替える切替手段と、
を備える電力増幅装置。
【請求項２】
ベースバンド信号のベクトル量であるＲＦ信号を電力増幅する電力増幅器と、
前記電力増幅器に並列接続可能な負荷と、
前記ベースバンド信号の振幅量であるエンベロープ信号を生成するエンベロープ生成部と、
生成されたエンベロープ信号を前記電力増幅器の所望の電源電圧値に変換する変調電源と、
生成されたエンベロープ信号の振幅値から前記電力増幅器のインピーダンス特性変動を検出するインピーダンス検出手段と、
所定インピーダンス変化が検出された場合、前記変調電源の出力に接続された前記電力増幅器に対し、前記電力増幅器に並列に前記負荷を接続するように切替える切替手段と、
を備える電力増幅装置。
【発明の詳細な説明】
【技術分野】
【０００１】
本発明は、ドレイン電圧を変化させる電力増幅装置に係り、詳細には、ＥＴ（Envelope Tracking）方式の高出力電力増幅装置に関する。
【背景技術】
【０００２】
近年、デ−タ伝送速度を向上させたり、加入者容量を増加させたりするため、デ−タの多値化をはじめ、ＣＤＭＡ（Code Division Multiple Access）のような拡散方式や、ＯＦＤＭ（Orthogonal Frequency Division Multiplexing）などのマルチキャリア方式、又はそれらを組み合わせた変調方式の採用が増加している。
【０００３】
これらの方式では、変調信号の平均電力とピーク電力の比であるピークファクタが大きくなる傾向にある。これらの信号を歪なく伝送させるためには、電力増幅器の動作点を下げて線形領域で用いる必要がある。このため、信号のピークファクタが大きくなるほど電力増幅器の動作点レベルが下がり、効率の低い領域で電力増幅器を動作させざるを得ない。このような背景から、電力増幅器には線形性が高く、高効率な特性が強く要求されている。
【０００４】
線形性を確保するために、アナログ方式やデジタル方式を用いた歪補償技術の開発が行われている。高効率化の観点からは、バイアス印加方式を改善したＤ級、Ｅ級、Ｆ級等の方式、ドハティ方式、エンベロープトラッキング方式、ＥＥ＆Ｒ（Envelope Elimination and Restoration）方式などがある。これらの方式において、高効率化の実現性からエンベロープトラッキング（Envelope Tracking）方式の開発が近年盛んに行われている。
【０００５】
エンベロープトラッキング方式は、電力増幅器へのＲＦ信号入力の包絡線（エンベロープ）信号を電源電圧として電力増幅器に印加する方式である。このエンベロープ信号（電力増幅器の電源電圧）は、電力増幅器の平均出力電力値に応じて、平均出力電圧値も変化することになる。
【０００６】
ところで、一般的な電力増幅器では、電源電圧は常時固定電圧である。電源電圧が固定の場合、電源から印加された電力と電力増幅器から出力される電力の差分が全て熱などの無駄なエネルギに変換されてしまう。このため出力電力が小さい領域では、供給される電力量と出力される電力量の差分が大きくなり、特に効率が低下してしまい不利である。
【０００７】
これに対して、エンベロープトラッキング方式では、常に入力電力に対して飽和に近い領域で動作するため、上記の無駄な電力が排除され、高効率化を達成できる。
【０００８】
エンベロープトラッキング方式では、上記のような動作となることから、エンベロープ信号には高い精度が要求される。つまり、送信されるベースバンド信号の包絡線と電力増幅器に印加されるエンベロープ信号が１対１の関係である必要がある。しかし、エンベロープ信号を精度よく生成し、電力増幅器に印加するには、以下のような現象が発生し困難な場合が発生する。
【０００９】
電力増幅器は、一般的にドレイン電圧と入力（出力）電力に依存し、利得、位相回転量、インピーダンス、消費電力などが変化する特性を有する。このため、ドレイン電圧が変化する電力増幅器では、ドレイン電圧、入力（出力）電力共に変化するため通常の電力増幅器と比較しこれらの特性が大きく変化することになる。
【００１０】
これらの特性が変化することは、電力増幅器の出力特性に大きく影響を及ぼす。例えば、利得、位相回転量が多くなることから、歪量が大きくなる。また、入力レベルが小さい領域では利得低下が大きいため、電力負荷効率への影響も大きくなる。電力増幅器の電源側から見たインピーダンス特性も入力レベルの大小により数十〜数百倍まで変化する場合があり、変調電源部に大きな負荷がかかることになる。
【００１１】
ここで、変調電源部とは、電力増幅器にエンベロープ信号（電圧）を供給する電源部と定義する。変調電源部は、電力増幅器のインピーダンスが変化することにより、周波数軸上での変調電源入力に対する出力応答が変化してしまう。
【００１２】
特に、電力増幅器への入力信号が小さい領域では、電力増幅器のインピーダンスが急峻に大きくなっており、変調電源部における周波数応答は大きく変化してしまう。
【００１３】
このような動作は、エンベロープトラッキング方式のようなドレイン電圧を変化させる電力増幅器に特徴的であり、変調信号が多重化されるなどしてピークファクタが大きな信号に対してはより顕著となる。今後の高速データ伝送を実現するためには、より精度の高いエンベロープ信号を生成する必要がある。
【００１４】
ドレイン電圧を変化させる電力増幅器において、エンベロープ信号の精度を上げる手段として、例えば、特許文献１に開示の技術が知られている。
【００１５】
図１は、特許文献１記載の電力増幅システムの構成を示す図である。
【００１６】
図１に示すように、電力増幅システム１０は、分配器１１、遅延回路１２、電力増幅器１３、エンベロープ生成回路１４、ＤＣ−ＤＣコンバータ制御部１５、及びＤＣ−ＤＣコンバータ１６を備える。
【００１７】
分配器１１は、ＲＦ系とエンベロープ系に信号を分離する。
【００１８】
遅延回路１２は、エンベロープ系で発生する遅延を相殺する。
【００１９】
電力増幅器１３は、ＲＦ信号を増幅する。
【００２０】
エンベロープ生成回路１４は、分配器１１で分離されたＲＦ信号をエンベロープ信号に変換する。
【００２１】
ＤＣ−ＤＣコンバータ制御部１５は、ＤＣ−ＤＣコンバータ１６の動作を制御する。
【００２２】
ＤＣ−ＤＣコンバータ１６は、生成されたエンベロープ信号を所望の電源電圧値及び電流値に変換する。
【００２３】
電力増幅システム１０は、ＤＣ−ＤＣコンバータ制御部１５がエンベロープ信号の周波数特性に応じてＤＣ−ＤＣコンバータ１６のスイッチング速度を変化させる。これにより、エンベロープ信号の周波数特性によらず、精度の高いエンベロープ信号を生成、電力増幅器に印加できるようにする。
【先行技術文献】
【特許文献】
【００２４】
【特許文献１】特開２００８−１９３２９８号公報
【発明の概要】
【発明が解決しようとする課題】
【００２５】
しかしながら、特許文献１記載の電力増幅システムでは、電力増幅器１３のインピーダンス変動には対応が示されていない。電力増幅器１３の電源電圧がエンベロープ信号により変動することにより、電力増幅器１３のインピーダンス特性も変動する。これにより、ＤＣ−ＤＣコンバータ１６の周波数応答が変動し、エンベロープ特性が変動する。
【００２６】
具体的には、出力信号が低下する領域では電力増幅器のインピーダンスが急峻に大きくなり、ＤＣ−ＤＣコンバータ１６の周波数応答が追従できなくなる。このため、エンベロープ電圧が所望の電圧値よりも低下してしまう現象が発生する。この場合、所望の電源特性よりも低い電圧が電力増幅器に供給されることになり、所望の出力電圧を確保することが不可能となり歪特性が劣化するという問題がある。
【００２７】
以下、図２及び図３を用いて、ドレイン電圧に対する電力増幅器のドレイン端インピーダンスを説明する。簡単のため、電力増幅器の平均出力電力は一定であると仮定する。
【００２８】
図２（ａ）−（ｃ）は、電力増幅器に印加されたドレイン電圧値Ｖｄｄ[Ｖ]、消費された電流値Ｉｄｄ[Ａ]、前記電圧値、電流値から算出された電力増幅器のインピーダンスＺ[Ω]の一例を示す図である。
【００２９】
図２に示すように、ドレイン電圧値が低い領域では電力増幅器のインピーダンスＺが非常に大きな値となっていることが確認できる。
【００３０】
図３は、図２で示したデータを元に、ドレイン電圧Ｖｄｄ[Ｖ]に対する電力増幅器のインピーダンスＺ[Ω]をプロットした一例を示す図である。
【００３１】
図３に示すように、低電圧領域では非常にインピーダンス値が高くなっていることが確認できる。ドレイン電圧を変化させる電力増幅器では、低電圧領域まで電圧を変化させたほうが、熱として消費される電力が少なくなるため、ドレイン電圧は極力低電圧領域まで変化させることが望ましい。しかしながら、図３で示したように低電圧領域では電力増幅器のインピーダンス特性が大きく変化し、電力増幅器に接続される変調電源の周波数特性に大きな影響を及ぼす。
【００３２】
変調電源の周波数特性が乱れ、特に、位相の周波数特性が非線形になった場合、オーバーシュートやアンダーシュートが発生し、所望の電圧以上や以下になる場合が発生する。特に、アンダーシュートが発生し、電力増幅器の出力電力に対し低い電圧になった場合は、物理的にその出力電圧を生成できないため、歪補償を用いても特性改善することができなくなる。このため、特にアンダーシュートに着目する必要がある。
【００３３】
本発明の目的は、ドレイン電圧を変化させる電力増幅器において、電力増幅器のインピーダンス変動によるエンベロープ信号の精度低下を回避することができる電力増幅装置を提供することである。
【課題を解決するための手段】
【００３４】
本発明の電力増幅装置は、ベースバンド信号のベクトル量であるＲＦ信号を電力増幅する電力増幅器と、前記ベースバンド信号の振幅量であるエンベロープ信号を生成するエンベロープ生成部と、生成されたエンベロープ信号を前記電力増幅器の所望の電源電圧値に変換する変調電源と、生成されたエンベロープ信号の振幅値から前記電力増幅器のインピーダンス特性変動を検出するインピーダンス検出手段と、所定インピーダンス変化が検出された場合、前記電力増幅器に印加する電源電圧を、前記変調電源から所定のレギュレートされた電圧に切替える切替手段と、を備える構成を採る。
【００３５】
本発明の電力増幅装置は、ベースバンド信号のベクトル量であるＲＦ信号を電力増幅する電力増幅器と、前記電力増幅器に並列接続可能な負荷と、前記ベースバンド信号の振幅量であるエンベロープ信号を生成するエンベロープ生成部と、生成されたエンベロープ信号を前記電力増幅器の所望の電源電圧値に変換する変調電源と、生成されたエンベロープ信号の振幅値から前記電力増幅器のインピーダンス特性変動を検出するインピーダンス検出手段と、所定インピーダンス変化が検出された場合、前記変調電源の出力に接続された前記電力増幅器に対し、前記電力増幅器に並列に前記負荷を接続するように切替える切替手段と、を備える構成を採る。
【発明の効果】
【００３６】
本発明によれば、ドレイン電圧を変化させる電力増幅器において、電力増幅器のインピーダンス変化を原因とするエンベロープ信号精度の低下を回避することができる。
【図面の簡単な説明】
【００３７】
【図１】従来の電力増幅システムの構成を示す図
【図２】従来の電力増幅システムの電力増幅器に印加されたドレイン電圧値Ｖｄｄ[Ｖ]、消費された電流値Ｉｄｄ[Ａ]、前記電圧値、電流値から算出された電力増幅器のインピーダンスＺ[Ω]の一例を示す図
【図３】図２で示したデータを元に、ドレイン電圧Ｖｄｄ[Ｖ]に対する電力増幅器のインピーダンスＺ[Ω]をプロットした一例を示す図
【図４】本発明の実施の形態１に係る電力増幅装置の構成を示す図
【図５】上記実施の形態１に係る電力増幅装置の各ブロックにおけるエンベロープ波形を示す図
【図６】本発明の実施の形態２に係る電力増幅装置の構成を示す図
【図７】上記実施の形態２に係る電力増幅装置の各ブロックにおけるエンベロープ波形を示す図
【発明を実施するための形態】
【００３８】
以下、本発明の実施の形態について、図面を参照して詳細に説明する。
【００３９】
（実施の形態１）
図４は、本発明の実施の形態１に係る電力増幅装置の構成を示す図である。本実施の形態は、変調電源を必要とする、エンベロープトラッキング方式を用いたＲＦ増幅装置に適用可能である。
【００４０】
図４に示すように、電力増幅装置１００は、ベースバンド信号入力端子１０１、分配器１１０、変調器１２０、電力増幅器１３０、エンベロープ生成回路１４０、閾値入力端子１０２、比較回路１５０、変調電源１６０、レギュレータ１７０、切替えスイッチ１８０、及び電力増幅器出力端子１０３を備える。
【００４１】
ベースバンド信号入力端子１０１には、図示しないベースバンド信号生成部により生成された、同相成分と直交成分とを有するベクトル形式のベースバンド信号が入力される。
【００４２】
分配器１１０は、入力ベースバンド信号を、ＲＦ信号系と、スカラ量であるエンベロープ信号系とに分配する。エンベロープ信号は、ベースバンド信号の振幅量であり、ＲＦ信号は、ベースバンド信号のベクトル量である。分配器１１０よりに分配されたＲＦ信号系は、変調器１２０に入力され、エンベロープ信号系は、エンベロープ生成回路１４０に入力される。
【００４３】
変調器１２０は、ＲＦ信号系に分配されたベースバンド信号をＲＦ信号に変換し、電力増幅器１３０に出力する。
【００４４】
電力増幅器１３０は、入力信号を線形に増幅する。電力増幅器１３０は、切替えスイッチ１８０を介して変調電源１６０又はレギュレータ１７０から電源電圧が供給される。
【００４５】
エンベロープ生成回路１４０は、エンベロープ信号系からエンベロープ信号を生成する。エンベロープ生成回路１４０は、同相成分と直交成分とを有するベクトル形式のベースバンド信号の同相成分と直交成分の自乗和、もしくは平方根を出力する絶対値回路である。
【００４６】
比較回路１５０は、エンベロープ生成回路１４０により生成されたエンベロープ信号の振幅値と、閾値入力端子１０２に入力される閾値とを比較する。比較回路１５０は、エンベロープ生成回路１４０により生成されたエンベロープ信号の振幅値が、閾値入力端子１０２の閾値以下であった場合、電力増幅器１３０の電源電圧を変調電源１６０からレギュレータ１７０への電源電圧に切替える制御信号を切替えスイッチ１８０に出力する。
【００４７】
上記閾値入力端子１０２及び比較回路１５０は、電力増幅器１３０のインピーダンス特性変動をエンベロープ振幅値から検出するインピーダンス検出手段を構成する。
【００４８】
変調電源１６０は、ＡＭ信号に基づきＲＦ信号の包絡線振幅に応じて変化する電源電圧を電力増幅器１３０に供給する。
【００４９】
変調電源１６０は、エンベロープ生成回路１４０により生成されたエンベロープ信号を所望の電圧値と電流値に変換する。変調電源１６０は、エンベロープ信号の包絡線振幅に応じて変化する電源電圧を、切替えスイッチ１８０を介して電力増幅器１３０の電源電圧として印加する。
【００５０】
レギュレータ１７０は、固定電源を安定化した電圧（レギュレートされた電圧）を、切替えスイッチ１８０を介して電力増幅器１３０の電源電圧として印加する。
【００５１】
切替えスイッチ１８０は、比較回路１５０からの制御信号を受けて、電力増幅器１３０の電源電圧を変調電源１６０からレギュレータ１７０への電源電圧に切替える。
【００５２】
切替えスイッチ１８０は、インピーダンス検出手段である比較回路１５０により、インピーダンス変化が検出された場合、電力増幅器１３０に印加する電源電圧を、変調電源１６０からレギュレータ１７０に切替える。
【００５３】
なお、エンベロープ系、特に変調電源１６０での遅延量は大きい。この遅延の誤差により、電力増幅器１３０の出力電力が増加して電力増幅器１００の消費電力が増加し、電力効率が劣化する。そこで実際の構成では、ＲＦ系との信号タイミングを合わせるためＲＦ系に遅延回路を設ける必要がある。上記遅延回路の遅延時間は、変調電源１６０を経由する信号の遅延時間と変調器１２０を経由する信号の遅延時間とが一致するように設定される。
【００５４】
以下、上述のように構成された電力増幅装置１００の動作について説明する。
【００５５】
ベースバンド信号入力端子１０１には、図示しないベースバンド信号生成部により生成された、同相成分と直交成分とを有するベクトル形式のベースバンド信号が入力される。
【００５６】
分配器１１０では、入力ベースバンド信号を、ＲＦ信号系と、スカラ量であるエンベロープ信号系とに分配する。
【００５７】
分配器１１０よりに分配されたＲＦ信号系のベースバンド信号は、変調器１２０によりＲＦ信号に変換され、電力増幅器１３０に入力される。また、エンベロープ信号系は、エンベロープ生成回路１４０に入力され、変調電源１６０により所望の電圧値と電流値に変換される。変換されたエンベロープ信号は、切替えスイッチ１８０を介して電力増幅器１３０の電源電圧として印加される。
【００５８】
エンベロープ生成回路１４０では、同相成分と直交成分とを有するベクトル形式のベースバンド信号の同相成分と直交成分の自乗和、もしくは平方根を出力する。これは、後段に接続される変調電源１６０での演算構成が電力値に対して出力電圧値を決定するか、振幅値に対して出力電圧を決定するかによる。電圧値への変換方法はテーブル方式や計算式を用いて算出してもよい。
【００５９】
変調電源１６０は、エンベロープ生成回路１４０により生成されたエンベロープ信号を所望の電圧値と電流値に変換する。変調電源１６０により変換されたエンベロープ信号は、切替えスイッチ１８０を介して電力増幅器１３０の電源電圧として印加される。
【００６０】
比較回路１５０では、エンベロープ生成回路１４０により生成されたエンベロープ信号の振幅値が、閾値入力端子１０２の閾値以下であった場合、電力増幅器１３０の電源電圧を変調電源１６０からレギュレータ１７０への電源電圧に切替える制御信号を切替えスイッチ１８０に出力する。
【００６１】
切替えスイッチ１８０は、比較回路１５０からの制御信号を受けて、エンベロープ信号の振幅値が、閾値入力端子１０２の閾値以下であった場合、電力増幅器１３０に印加する電源電圧を、変調電源１６０からレギュレータ１７０に切替える。
【００６２】
前記図３に示すように、ドレイン電圧に対するインピーダンス特性は、ある一定の平均出力電力に対してはほぼ一意に決まる傾向がある。このため、前記図３の場合を例に採れば、ドレイン電圧が２０Ｖ以上になる領域であればほぼ一定のインピーダンス特性であることが確認できる。このことから閾値入力端子１０２に接続される閾値は、入力電力に応じた固定値を設けておけばよい。
【００６３】
図５は、電力増幅装置１００の各ブロックにおけるエンベロープ波形を示す図である。なお、図５において、実線は各波形、破線は理想エンベロープとした場合の本来の電圧下限値である。
【００６４】
図５（ａ）は、切替えスイッチ１８０が変調電源１６０に接続されている場合のエンベロープ生成回路１４０の出力を示し、図５（ｂ）は、切替えスイッチ１８０がレギュレータ１７０に接続されている場合のエンベロープ生成回路１４０の出力を示す。
【００６５】
図５（ｃ）は、切替えスイッチ１８０が変調電源１６０に接続されている場合の変調電源１６０の出力を示し、図５（ｄ）は、切替えスイッチ１８０がエンベロープ生成回路１４０に接続されている場合の変調電源１６０の出力を示す。また、図５（ｇ）は、図５（ｄ）の要部拡大図である。
【００６６】
図５（ｅ）は、切替えスイッチ１８０が変調電源１６０に接続されている場合の切替えスイッチ１８０の出力を示し、図５（ｆ）は、切替えスイッチ１８０がレギュレータ１７０に接続されている場合の切替えスイッチ１８０の出力を示す。
【００６７】
図５（ｃ）（ｅ）に示すように、ドレイン電圧（電力増幅器１３０への入力振幅）が低い領域では、電力増幅器１３０のインピーダンスが変化するため、変調電源１６０の電力供給能力を超える場合が生じ、エンベロープ信号（電圧）精度が劣化する。具体的には、図５（ｃ）（ｅ）ａ．に示すように、変調電源１６０の出力が電圧下限値を下回る場合が発生する。その結果、出力電力に対応する電源電圧が確保できない。これは、歪補償では対応できない歪劣化の発生となる。
【００６８】
本発明者は、電力増幅器１３０に入力されるエンベロープ信号に応じて、変調電源１６０からみたインピーダンスを一定に制御することに着目した。
【００６９】
すなわち、電力増幅器１３０の電源インピーダンス特性は、入力電力と電源電圧に依存するため、電源電圧が一定であっても入力電力レベルに応じてインピーダンスが変化する。従い、変調電源１６０の周波数特性が変化し非線形な応答になり、エンベロープ信号の波形歪が生じ、電力増幅器１３０出力の歪特性劣化が生じる。
【００７０】
本発明は、特定の振幅レベルに対し、変調電源１６０から見た電力増幅器１３０の電源インピーダンスを最適化し特性劣化を回避する。これにより、エンベロープ信号の精度を、ＲＦ信号の振幅レベルによらず一定範囲に保つことができ、電力増幅器１３０の歪特性が低下するのを防止することができる。
【００７１】
本実施の形態では、電力増幅装置１００は、エンベロープ生成回路１４０により生成されたエンベロープ信号の振幅値と、閾値入力端子１０２に入力される閾値とを比較する比較回路１５０と、エンベロープ信号の振幅値が、閾値入力端子１０２の閾値以下であった場合、電力増幅器１３０の電源電圧を変調電源１６０からレギュレータ１７０への電源電圧に切替える切替えスイッチ１８０とを備える。このように、エンベロープ振幅に応じて、電力増幅器１３０の電源を変調電源から固定電源の供給に切り替えることで、エンベロープの高精度化を実現し、歪特性の劣化を防ぐ。
【００７２】
図５（ｃ）（ｅ）に示すように、切替えスイッチ１８０が変調電源１６０に接続されている場合、変調電源１６０出力には電力増幅器１３０のインピーダンス変動の影響により、変調電源１６０出力にはアンダーシュートが発生する（図５（ｃ）（ｅ）ａ．参照）。
【００７３】
一方、切替えスイッチ１８０がレギュレータ１７０に接続されている場合は、以下のように動作する。
【００７４】
図５（ｄ）（ｆ）に示すように、切替えスイッチ１８０は、エンベロープ信号の振幅値が、閾値入力端子１０２の閾値以下であった場合、電力増幅器１３０の電源電圧を変調電源１６０からレギュレータ１７０への電源電圧に切替える。より詳細には、図５（ｇ）に示すように、エンベロープ信号の振幅値がその電圧下限値を下回る場合、その間、切替えスイッチ１８０は、電力増幅器１３０に印加する電源電圧を変調電源１６０からレギュレータ１７０への電源電圧に切替える。
【００７５】
すなわち、変調電源１６０の出力を直接電力増幅器１３０に接続した場合にアンダーシュートが発生する区間のみ、切替えスイッチ１８０をレギュレータ１７０側に接続する。この場合、この間の電力増幅器１３０への電圧印加が行えなくなるため、レギュレータ１７０に切替えスイッチ１８０を接続させる。この場合、ＤＣ電圧値がレギュレータ１７０により印加されることになり、電力増幅器１３０のインピーダンス変化の影響を受けることなく、アンダーシュートは発生しない。
【００７６】
以上により、切替えスイッチ１８０が、変調電源１６０、レギュレータ１７０のいずれに接続されている場合もエンベロープ生成回路１４０の出力は理想的なエンベロープ信号が出力される。
【００７７】
以上詳細に説明したように、本実施の形態によれば、電力増幅装置１００は、ベースバンド信号のＲＦ信号を電力増幅する電力増幅器１３０と、ベースバンド信号の振幅量であるエンベロープ信号を生成するエンベロープ生成回路１４０と、生成されたエンベロープ信号を電力増幅器１３０の所望の電源電圧値に変換する変調電源１６０とを備える。また、電力増幅装置１００は、生成されたエンベロープ信号の振幅値と、閾値入力端子１０２に入力される閾値とを比較する比較回路１５０と、比較回路１５０からの制御信号を受けて、電力増幅器１３０の電源電圧を変調電源１６０からレギュレータ１７０への電源電圧に切替える切替えスイッチ１８０とを備える。
【００７８】
以上の構成により、エンベロープ信号（ＲＦ信号振幅）に応じて、電力増幅器入力電力レベルを調整するか否かの判定機能を有することで、必要最小限な調整を行うことにより、システムの演算増加量を抑え、安定度を向上させることができる。
【００７９】
また、電力増幅装置１００は、エンベロープ信号（ＲＦ信号振幅）に応じて、電力増幅器１３０に印加する電源を切り替える。すなわち、電力増幅器１３０に入力されるエンベロープ信号に応じ、変調電源１６０からみたインピーダンスを一定に制御する。これにより、電力増幅器１３０のインピーダンスに左右されず、エンベロープ特性が安定化し、歪特性劣化を防ぐことができる。その結果、エンベロープ信号の精度を、ＲＦ信号の振幅レベルによらず一定範囲に保つことができ、電力増幅器１３０の歪特性が低下するのを防止することができる。
【００８０】
（実施の形態２）
図６は、本発明の実施の形態２に係る電力増幅装置の構成を示す図である。本実施の形態の説明に当たり、図４と同一構成部分には同一番号を付して重複箇所の説明を省略する。
【００８１】
図６に示すように、電力増幅装置２００は、ベースバンド信号入力端子１０１、分配器１１０、変調器１２０、電力増幅器１３０、エンベロープ生成回路１４０、閾値入力端子１０２、比較回路１５０、変調電源１６０、切替えスイッチ２８０、電力増幅器出力端子１０３、及び電力増幅器１３０に並列接続された負荷３００を備える。
【００８２】
電力増幅装置２００は、図４の電力増幅装置１００からレギュレータ１７０を取り、代わりに切替えスイッチ２８０を介して電力増幅器１３０と並列に接続された負荷３００を備える。
【００８３】
比較回路１５０は、エンベロープ生成回路１４０により生成されたエンベロープ信号の振幅値が、閾値入力端子１０２の閾値以下であった場合、電力増幅器１３０と並列に接続された負荷３００を接続する制御信号を切替えスイッチ２８０に出力する。
【００８４】
切替えスイッチ２８０は、比較回路１５０からの制御信号を受けて、エンベロープ生成回路１４０により生成されたエンベロープ信号の振幅値が、閾値入力端子１０２の閾値以下であった場合、電力増幅器１３０と並列接続された負荷３００を接続する切り替えを行う。
【００８５】
上述したように、ドレイン電圧に対するインピーダンス特性は、ある一定の平均出力電力に対してはほぼ一意に決まる傾向がある。このため、閾値入力端子１０２に接続される閾値は、入力電力に応じた固定値を設けておけばよい。
【００８６】
切替えスイッチ２８０に接続されている負荷３００は、各ドレイン電圧値でのインピーダンス値がほぼ一様となるように値を決定する。具体的には、負荷３００は、ドレイン電圧の下限値付近を除く、ほぼ一定値となる値と同等値とする。
【００８７】
電力増幅器１３０のドレイン電圧の値が、インピーダンス特性に変化をもたらさない領域の場合は、切替えスイッチ２８０は負荷３００には接続されず、開放状態となるものとする。
【００８８】
図７は、電力増幅装置２００の各ブロックにおけるエンベロープ波形を示す図である。なお、図７において、実線は各波形、破線は理想エンベロープとした場合の本来の電圧下限値である。
【００８９】
図７（ａ）は、切替えスイッチ２８０が開放されている場合のエンベロープ生成回路１４０の出力を示し、図７（ｂ）は、切替えスイッチ２８０が負荷３００に接続されている場合のエンベロープ生成回路１４０の出力を示す。
【００９０】
図７（ｃ）は、切替えスイッチ２８０が開放されている場合の変調電源１６０の出力を示し、図７（ｄ）は、切替えスイッチ１８０が負荷３００に接続されている場合の変調電源１６０の出力を示す。また、図７（ｅ）は、図７（ｄ）の要部拡大図である。
【００９１】
エンベロープ信号の振幅値が、閾値入力端子１０２の閾値より大きい場合、切替えスイッチ２８０は開放される。
【００９２】
切替えスイッチ２８０が開放となっている場合、変調電源１６０出力は電力増幅器１３０が単体で接続されている状態と同じである。このため、ドレイン電圧の電圧値によりインピーダンス変化の影響で、変調電源１６０出力には、アンダーシュートが発生する場合がある（図７（ｃ）ａ．参照）。
【００９３】
一方、切替えスイッチ２８０が負荷３００に接続されている場合、変調電源１６０から見たインピーダンスは、電力増幅器１３０に並列に接続された負荷３００にほぼ一致する。このため、電力増幅器１３０のインピーダンス変化の影響を受けることなく、変調電源１６０の出力ではアンダーシュートは発生しない。
【００９４】
本実施の形態では、比較回路１５０は、エンベロープ生成回路１４０により生成されたエンベロープ信号の振幅値が、閾値入力端子１０２の閾値以下であった場合、電力増幅器１３０と並列に接続された負荷３００を接続する制御信号を切替えスイッチ２８０に出力する。
【００９５】
切替えスイッチ２８０は、比較回路１５０からの制御信号を受けて、電力増幅器１３０と並列接続された負荷３００を接続する切り替えを行う。
【００９６】
切替えスイッチ２８０が負荷３００に接続されている場合は、以下のように動作する。
【００９７】
すなわち、変調電源１６０の出力を直接電力増幅器１３０に接続した場合にアンダーシュートが発生する区間のみ切替えスイッチ２８０を負荷３００側に接続する。この場合、この間の変調電源から見た負荷は、ほぼ負荷３００の値で決まり、ほぼ一定の負荷特性に見える。このため、変調電源１６０の出力は、アンダーシュートの発生しない理想的なエンベロープ出力となる。
【００９８】
このように、本実施の形態によれば、電力増幅器１３０の負荷変動特性が生じた場合でも、エンベロープ信号の精度を劣化させることなくドレイン電圧を印加させることが可能になり、歪特性を改善することが可能となる。
【００９９】
以上の説明は本発明の好適な実施の形態の例証であり、本発明の範囲はこれに限定されることはない。
【０１００】
例えば、実施の形態２では、簡単のため負荷３００を単一の回路で説明したが、電力増幅器１３０の特性により複数個接続することも可能である。また、負荷３００に含まれる抵抗、コイル、コンデンサ等の値を制御信号等により変化させる方法を用いてもよい。
【０１０１】
また、上記各実施の形態では、電力増幅装置という名称を用いたが、これは説明の便宜上であり、電力増幅器、ＲＦ増幅装置、ＲＦ増幅器等であってもよい。
【０１０２】
さらに、上記電力増幅装置を構成する各回路部、例えばスイッチの種類・段数、比較回路などインピーダンス検出手段の種類などは前述した実施の形態に限られない。当然のことながら、本電力増幅装置に、各種補償用の回路を付加してもよい。
【産業上の利用可能性】
【０１０３】
本発明に係る電力増幅装置は、エンベロープトラッキング方式の電力増幅器において有用である。また、エンベロープトラッキング方式の電力増幅器以外にも、ドレイン電圧を変化させる電力増幅器において、歪特性の劣化を回避するＲＦ増幅装置に有効である。本発明に係る電力増幅装置は、例えば、無線通信基地局装置、デジタルテレビ送信機などに適用できる。
【符号の説明】
【０１０４】
１００，２００  電力増幅装置
１０１  ベースバンド信号入力端子
１０２  閾値入力端子
１０３  電力増幅器出力端子
１１０  分配器
１２０  変調器
１３０  電力増幅器
１４０  エンベロープ生成回路
１５０  比較回路
１６０  変調電源
１７０  レギュレータ
１８０，２８０  切替えスイッチ
３００  負荷
【図１】
2012015708.tif 000003
【図２】
2012015708.tif 000004
【図３】
2012015708.tif 000005
【図４】
2012015708.tif 000006
【図５】
2012015708.tif 000007
【図６】
2012015708.tif 000008
【図７】
2012015708.tif 000009